(57)【要約】【課題】主に自動車のストップランプの点消灯制御等に用いられるスイッチに関し、接離の安定したものを提供することを目的とする。【解決手段】作動体２の上下動に伴い弾接摺動する固定接片４と接触片７の間に、基油に軟らかな樹脂ポリマーと界面活性剤が配合された潤滑剤１５を塗布することによって、弾接摺動時の接触片７や固定接片４の磨耗を少なくすると共に、潤滑剤１５の他の箇所への流失を防ぐことができるため、接離の安定したスイッチを得ることができる。【選択図】図１
2006092987.tif 000002
【特許請求の範囲】
【請求項１】
固定接片が植設された略箱型のケースと、このケース内に上下動可能に収納された作動体と、この作動体の上下動に伴い上記固定接片に弾接摺動する接触片からなり、上記固定接片と接触片の間に、基油に樹脂ポリマーと界面活性剤が配合された潤滑剤を塗布したスイッチ。
【発明の詳細な説明】
【技術分野】
【０００１】
本発明は、主に自動車のブレーキペダル操作時の、ストップランプの消点灯制御等に用いられるスイッチに関するものである。
【背景技術】
【０００２】
近年、ブレーキペダルを踏み込んだ際にはストップランプを点灯させ、離した際には消灯させる、ブレーキペダルの操作に伴うストップランプの制御用として、押圧操作型のスイッチが多く使用されている。
【０００３】
このような従来のスイッチについて、図２を用いて説明する。
【０００４】
図２は従来のスイッチの断面図であり、同図において、１は上面開口で略箱型の絶縁樹脂製のケース、２は同じく絶縁樹脂製の作動体で、ケース１内側壁には複数の固定接点３や固定接片４が植設されると共に、作動体２がケース１内に上下動可能に収納されている。
【０００５】
そして、５は導電金属製の可動接点で、この可動接点５がケース１の底面との間にやや撓んだ状態で装着されたコイル状の接圧ばね６によって、複数の固定接点３に下方から弾接し、複数の固定接点３が可動接点５を介して電気的に接続されている。
【０００６】
また、７は導電金属製の接触片で、この接触片７の一端が作動体２側面に装着固定されると共に、やや撓んだ状態で、他端が固定接片４上方のケース１右内側壁に弾接している。
【０００７】
さらに、８はコイル状の戻りばね、９はケース１上面の開口部を覆うカバーで、戻りばね８が作動体２下面とケース１の底面との間にやや撓んだ状態で装着されて、作動体２を上方に付勢している。
【０００８】
また、カバー９には上方ヘ突出する中空筒部９Ａが設けられ、この中空筒部９Ａ内に作動体２の操作軸２Ａが上下動可能に挿通すると共に、操作軸２Ａ上端が中空筒部９Ａから上方ヘ突出している。
【０００９】
そして、固定接片４と接触片７の間には、作動体２の上下動に伴う接触片７の弾接摺動を滑らかにするために、オレフィン系やエステル系の基油にリチウム系やカルシウム系、アルミニウム系の金属石鹸が配合された潤滑剤１０が塗布されて、スイッチが構成されている。
【００１０】
そして、このように構成されたスイッチは、一般に自動車のブレーキペダルの手前に、アーム（図示せず）等によって作動体２の操作軸２Ａが押圧された状態で装着されると共に、ケース１底面から突出した固定接点３の端子部３Ａが、コネクタ等によってストップランプに、固定接片４の端子部４Ａが車両の電子回路に各々接続される。
【００１１】
つまり、ブレーキペダルが踏み込まれていない状態では、作動体２の操作軸２Ａが下方へ押圧操作され、接圧ばね６や戻りばね８が撓んで、可動接点５が下方へ移動して固定接点３から離れ、電気的に切断された状態となっているため、ストップランプは消灯した状態となる。
【００１２】
また、この状態では、作動体２側面に装着固定された接触片７が下方へ移動し、固定接片４へ弾接摺動して、固定接片４が電気的に接続された状態となっているため、車両の電子回路が制御する機能、例えばアクセルペダルを踏まないでも車両の走行速度を一定に保つ、所謂クルーズコントロール等が動作した状態となっている。
【００１３】
そして、ブレーキペダルが踏み込まれると、アーム等が操作軸２Ａから離れ押圧力が除かれるため、戻りばね８の弾性復帰力によって作動体２が上方ヘ移動すると共に、可動接点５も接圧ばね６に押圧されて固定接点３に弾接し、複数の固定接点３が電気的に接続された状態となり、ストップランプが点灯する。
【００１４】
また、この状態では、接触片７が上方へ弾接摺動して、固定接片４が電気的に切断されるため、電子回路のクルーズコントロール等は停止した状態となるように構成されているものであった。
【００１５】
なお、このようにストップランプの消点灯を行う固定接点３と可動接点５には、一般にＤＣ１２Ｖ数Ａ程度の比較的大きな電圧電流が通電され、電子回路の接離を行う固定接片４と接触片７には数ｍＡ程度の小さな電流が通電されるため、固定接片４と接触片７の間には、上述したように潤滑剤１０が塗布されているが、電流が大きく接点の開閉時にアークの発生する、固定接点３と可動接点５には潤滑剤が塗布されていない。
【００１６】
但し、固定接片４や接触片７に塗布された潤滑剤１０が、固定接点３や可動接点５に流れ付着することも考えられるため、潤滑剤１０には、アークによって絶縁性のシリカ等が生じ易いシリコン系のものではなく、上述のようにオレフィン系やエステル系の基油を用いたものが、通常使用されている。
【００１７】
なお、この出願の発明に関連する先行技術文献情報としては、例えば、特許文献１が知られている。
【特許文献１】特開２００１−８４８６７号公報
【発明の開示】
【発明が解決しようとする課題】
【００１８】
しかしながら、上記従来のスイッチにおいては、固定接片４と接触片７の間に塗布された潤滑剤１０に、リチウム系やカルシウム系、アルミニウム系の金属石鹸が配合されているため、作動体２の押圧操作によって接触片７の固定接片４への弾接摺動を繰返すと、これら金属の配合剤によって接触片７や固定接片４に磨耗が生じ、安定した接触を保つことが困難となるという課題があった。
【００１９】
本発明は、このような従来の課題を解決するものであり、確実な接離の可能なスイッチを提供することを目的とする。
【課題を解決するための手段】
【００２０】
上記目的を達成するために本発明は、作動体の上下動に伴い弾接摺動する固定接片と接触片の間に、基油に樹脂ポリマーと界面活性剤が配合された潤滑剤を塗布してスイッチを構成したものであり、軟らかな樹脂ポリマーが配合された潤滑剤を用いることによって、弾接摺動時の接触片や固定接片の磨耗を少なくすると共に、界面活性剤によって潤滑剤の他の箇所への流失を防ぐことができるため、接離の安定したスイッチを得ることができるという作用を有する。
【発明の効果】
【００２１】
以上のように、本発明によれば、接離の安定したスイッチを実現することができるという有利な効果が得られる。
【発明を実施するための最良の形態】
【００２２】
以下、本発明の実施の形態について、図１を用いて説明する。
【００２３】
なお、背景技術の項で説明した構成と同一構成の部分には同一符号を付して、詳細な説明を簡略化する。
【００２４】
（実施の形態）
図１は本発明の一実施の形態によるスイッチの断面図であり、同図において、１は上面開口で略箱型の絶縁樹脂製のケース、２は略円柱状で絶縁樹脂製の作動体で、ケース１内側壁には複数の固定接点３や固定接片４が植設されると共に、作動体２がケース１内に上下動可能に収納されている。
【００２５】
そして、５は銅合金等の導電金属製の可動接点で、この可動接点５がケース１の底面との間にやや撓んだ状態で装着されたコイル状の接圧ばね６によって、複数の固定接点３に下方から弾接し、複数の固定接点３が可動接点５を介して電気的に接続されている。
【００２６】
また、７は銅合金等の導電金属製の接触片で、この接触片７の一端が作動体２側面に装着固定されると共に、やや撓んだ状態で、他端が固定接片４上方のケース１右内側壁に弾接している。
【００２７】
さらに、８はコイル状の戻りばね、９はケース１上面の開口部を覆う絶縁樹脂製のカバーで、戻りばね８が作動体２下面とケース１の底面との間にやや撓んだ状態で装着されて、作動体２を上方に付勢している。
【００２８】
また、カバー９には上方ヘ突出する中空筒部９Ａが設けられ、この中空筒部９Ａ内に作動体２の操作軸２Ａが上下動可能に挿通すると共に、操作軸２Ａ上端が中空筒部９Ａから上方ヘ突出している。
【００２９】
そして、固定接片４と接触片７の間には、作動体２の上下動に伴う接触片７の弾接摺動を滑らかにするために、オレフィン系やエステル系の基油にオレフィン系やエステル系の樹脂ポリマーが１〜３０重量％、フッ素系の界面活性剤が０．１〜５重量％配合された潤滑剤１５が塗布されて、スイッチが構成されている。
【００３０】
そして、このように構成されたスイッチは、一般に自動車のブレーキペダルの手前に、アーム（図示せず）等によって作動体２の操作軸２Ａが押圧された状態で装着されると共に、ケース１底面から突出した固定接点３の端子部３Ａが、コネクタ等によってストップランプに、固定接片４の端子部４Ａが車両の電子回路に各々接続される。
【００３１】
つまり、ブレーキペダルが踏み込まれていない状態では、作動体２の操作軸２Ａが下方へ押圧操作され、接圧ばね６や戻りばね８が撓んで、可動接点５が下方へ移動して固定接点３から離れ、電気的に切断された状態となっているため、ストップランプは消灯した状態となる。
【００３２】
また、この状態では、作動体２側面に装着固定された接触片７が下方へ移動し、固定接片４へ弾接摺動して、固定接片４が電気的に接続された状態となっているため、車両の電子回路が制御する機能、例えばアクセルペダルを踏まないでも車両の走行速度を一定に保つ、所謂クルーズコントロール等が動作した状態となっている。
【００３３】
そして、ブレーキペダルが踏み込まれると、アーム等が操作軸２Ａから離れ押圧力が除かれるため、戻りばね８の弾性復帰力によって作動体２が上方ヘ移動すると共に、可動接点５も接圧ばね６に押圧されて固定接点３に弾接し、複数の固定接点３が電気的に接続された状態となり、ストップランプが点灯する。
【００３４】
また、この状態では、接触片７が上方へ弾接摺動して、固定接片４が電気的に切断されるため、電子回路のクルーズコントロール等は停止した状態となるように構成されている。
【００３５】
そして、このように作動体２の上下動に伴って接触片７が固定接片４に弾接摺動する際に、これらの間に塗布された潤滑剤１５によって、接触片７の固定接片４への弾接摺動が滑らかに行われると共に、接触片７や固定接片４の磨耗が少なくなるように形成されている。
【００３６】
つまり、固定接片４と接触片７の間に塗布された潤滑剤１５には、基油にオレフィン系やエステル系の軟らかな樹脂ポリマーが配合されているため、金属石鹸等が配合された潤滑剤を塗布したものに比べ、銅合金等の接触片７や固定接片４の磨耗が少なくなり、滑らかな摺動が行われる構成となっている。
【００３７】
さらに、潤滑剤１５にはフッ素系の界面活性剤が配合され、この界面活性剤が外周に膜を形成し、潤滑剤１５が他の箇所へ流れにくいようになっているため、接触片７と固定接片４の確実な潤滑が保たれると共に、電流が大きく接点の開閉時にアークの発生する固定接点３や可動接点５への付着も防止できるようになっている。
【００３８】
このように本実施の形態によれば、作動体２の上下動に伴い弾接摺動する固定接片４と接触片７の間に、基油に軟らかな樹脂ポリマーと界面活性剤が配合された潤滑剤１５を塗布することによって、弾接摺動時の接触片７や固定接片４の磨耗を少なくすると共に、潤滑剤１５の他の箇所への流失を防ぐことができるため、接離の安定したスイッチを得ることができるものである。
【００３９】
なお、以上の説明では、主にブレーキペダルによって操作される押圧操作型のスイッチについて説明したが、他の機能に用いられるスイッチや、或いは、作動体を揺動したり平行にスライドさせる等、他の操作方式のスイッチにおいても、本発明の実施は可能である。
【産業上の利用可能性】
【００４０】
本発明によるスイッチは、接離の安定したものを得ることができるため、主に自動車のブレーキペダル操作時のストップランプ点消灯制御等に有用である。
【図面の簡単な説明】
【００４１】
【図１】本発明の一実施の形態によるスイッチの断面図
【図２】従来のスイッチの断面図
【符号の説明】
【００４２】
１  ケース
２  作動体
２Ａ  操作軸
３  固定接点
３Ａ  端子部
４  固定接片
４Ａ  端子部
５  可動接点
６  接圧ばね
７  接触片
８  戻りばね
９  カバー
９Ａ  中空筒部
１５  潤滑剤
【図１】
2006092987.tif 000003
【図２】
2006092987.tif 000004